(57)【特許請求の範囲】
【請求項１】
４種類のスーツを有するトランプカードであって、
前記４種類のスーツが、ＤＮＡまたはＲＮＡを構成する４種類のヌクレオチドの塩基である
アデニンと、
シトシンと、
グアニンと、
チミン若しくはウラシル、または、それらの組合せと、
から成り、
前記トランプカードの表面の左サイドの上部及び右サイドの下部には、当該トランプカードのスーツを表す記号と当該トランプカードのランクを表す数字または記号とから成るインデックスが表示され、
前記インデックスが表示されたトランプカードの表面には、前記塩基の３つにより規定されるアミノ酸の中で当該トランプカードのランクに対応付けたアミノ酸の名称、化学式及び分子モデルの少なくとも一つが表示されている、
ことを特徴とするトランプカード。
【請求項２】
請求項１に記載のトランプカードであって、各スーツのトランプカードの枚数が、前記塩基の３つにより規定されるアミノ酸の数と同じ２０枚に設定されていることを特徴とするトランプカード。
【発明の詳細な説明】
【技術分野】
【０００１】
本発明は、ゲーム用のトランプカードに関し、遊びを通じて生命科学の基本が学習できるように構成にしたものである。
【背景技術】
【０００２】
一般的なトランプカードは、良く知られているように、スペード、ハート、クラブ及びダイヤの４種類のスーツ（組）から成り、各スーツは１３枚の札で構成されている。
スーツが表示されたトランプカードの表面はフェイスと呼ばれ、同一模様が表示されたカードの裏面はバックと呼ばれる。また、カードの長辺側はサイド（左サイド、右サイド）と呼ばれ、短辺側はエンド（前エンド、後エンド）と呼ばれる。
通常のトランプカードでは、フェイスの左サイドの上方及び右サイドの下方に、各カードのスーツの図形と、そのカードのランクを表す数字（２〜１０）または記号（Ａ、Ｊ、Ｑ，Ｋ）とを組合わせたインデックスが表示され、フェイスの中央部分には、ランクが１〜１０のカードでは、ランクの数のスーツの図形が表示され、また、ランクが１１、１２、１３のカードでは、王子、王妃、王様の図形がそれぞれ表示されている。この１１、１２、１３のカードは絵札と呼ばれる。
【０００３】
従来から、遊びを通じて学習効果を高めることを目的としたトランプカードが種々考案されている。下記特許文献１には、トランプを利用して低学年児に加算・減算の概念を理解させるカードが開示され、また、下記特許文献２には、ゲームを楽しみながら分数の理解度を深めるように工夫されたトランプカードが開示されている。
【先行技術文献】
【特許文献】
【０００４】
【特許文献１】特許第３７６８２７６号公報
【特許文献２】特開２００４−１６３７４３号公報
【発明の概要】
【発明が解決しようとする課題】
【０００５】
生物はすべて二重らせん構造を持つＤＮＡ（デオキシリボ核酸）に蓄積された遺伝情報を基に形成されており、ＤＮＡは現代科学の一つの中心的課題である。
ＤＮＡは４種類のヌクレオチドが繋がってできている。ＤＮＡのヌクレオチドは、糖（デオキシボース）とリン酸と塩基とから成り、４種類のヌクレオチドは、塩基の種類だけが相違している。ＤＮＡの塩基は、アデニン（Ａ）、チミン（Ｔ）、グアニン（Ｇ）及びシトシン（Ｃ）の４種類である。
【０００６】
ＤＮＡの二重らせん構造は、２本の“テープ”が中心線の周りをらせん状に取り巻いている構造であり、各テープから伸びた塩基の“腕”同士が結合して塩基対を形成している。各ヌクレオチドは、テープの一部と一本の腕に相当し、糖とリン酸がテープ部分を、塩基が腕の部分を構成している。ヌクレオチドが繋がったＤＮＡでは、Ａ、Ｔ、Ｇ、Ｃの４種類の塩基がテープに沿って並んでいる。
なお、塩基対は、相補的関係にある塩基同士で形成され、アデニン（Ａ）はチミン（Ｔ）とだけ結合し、チミン（Ｔ）はアデニン（Ａ）とだけ結合し、グアニン（Ｇ）はシトシン（Ｃ）とだけ結合し、シトシン（Ｃ）はグアニン（Ｇ）とだけ結合する。
【０００７】
ところで、蛋白質はアミノ酸で作られているが、蛋白質を構成するアミノ酸の種類は２０種類しか存在しない。これらのアミノ酸は、３つの塩基の並びによって規定される。例えば、ＧＧＣはグリシンを規定し、ＣＧＧはアルギニンを規定し、ＧＣＧはアラニンを規定する。アミノ酸を規定する３つの塩基の並びはコドンと呼ばれている。３つの塩基の並びは、６４（＝４×４×４）通り存在しており、２０種類のアミノ酸の中には、１つのコドンだけで規定されるアミノ酸もあるが、多くのアミノ酸は、当該アミノ酸を規定する複数のコドンを有している。
ＤＮＡの塩基の配列は、蛋白質を構成するアミノ酸の配列を規定しており、塩基配列が遺伝情報を担っている。
【０００８】
ＤＮＡの塩基配列は、一本鎖のＲＮＡ（リボ核酸）によって複写され、複写された塩基配列の情報がリボゾームに伝達されて蛋白質が合成される。
ＲＮＡは、ＤＮＡと同様に糖（リボース）とリン酸と塩基とから成るヌクレオチドが繋がって出来ているが、ＤＮＡと異なり、一本鎖であり、また、ヌクレオチドを構成する塩基がアデニン（Ａ）、ウラシル（Ｕ）、グアニン（Ｇ）及びシトシン（Ｃ）の４種類である（即ち、ＤＮＡのチミン（Ｔ）がウラシル（Ｕ）に代わっている）。なお、ＲＮＡのウラシル（Ｕ）は、ＤＮＡのチミン（Ｔ）と同様の働きをする。
【０００９】
ＤＮＡの塩基配列は、ＲＮＡのメッセンジャーＲＮＡ（ｍＲＮＡ）により次のように複写される。
ＤＮＡの二重らせん（二重らせんの一方はセンス（意味を持つ）鎖と呼ばれ、他方はアンチセンス鎖と呼ばれる）の塩基対がジッパーのように開かれて、塩基がむき出しになり、むき出しのアンチセンス鎖の塩基とｍＲＮＡの塩基とが塩基対を形成する。このとき、アンチセンス鎖の塩基がアデニン（Ａ）であれば、塩基対を形成するｍＲＮＡの塩基は相補的関係にあるウラシル（Ｕ）であり、同様に、アンチセンス鎖の塩基がチミン（Ｔ）であれば、ｍＲＮＡの塩基はアデニン（Ａ）であり、アンチセンス鎖の塩基がグアニン（Ｇ）であれば、ｍＲＮＡの塩基はシトシン（Ｃ）であり、アンチセンス鎖の塩基がシトシン（Ｃ）であれば、ｍＲＮＡの塩基はグアニン（Ｇ）である。
そのため、ｍＲＮＡには、ＤＮＡのアンチセンス鎖の塩基と相補的関係にある塩基の配列が形成される。これはＤＮＡのセンス鎖の塩基配列と同じものであり、ＤＮＡの遺伝情報が複写されたことになる。
ｍＲＮＡに複写された塩基配列のコドンに対応するアミノ酸をトランスファーＲＮＡ（ｔＲＮＡ）がリボゾーブに運び、リボゾームにおいて、ＤＮＡの塩基配列で規定された蛋白質が合成される。
【００１０】
本発明は、こうした生物学の根本原則を遊びながら学べるトランプカードを提供することを目的としている。
【課題を解決するための手段】
【００１１】
本発明は、４種類のスーツを有するトランプカードであって、４種類のスーツが、ＤＮＡまたはＲＮＡを構成する４種類のヌクレオチドの塩基であるアデニンと、シトシンと、グアニンと、チミン若しくはウラシル、または、それらの組合せと、から成り、カードの表面の左サイドの上部及び右サイドの下部には、当該カードのスーツを表す記号と当該カードのランクを表す数字または記号とから成るインデックスが表示され、インデックスが表示されたカードの表面には、塩基の３つにより規定されるアミノ酸の中で当該カードのランクに対応付けたアミノ酸の名称、化学式及び分子モデルの少なくとも一つが表示されている、ことを特徴とする。
例えば、カード三枚のスーツの組合せで表されるコドンが、それらのカードの何れかに表示されたアミノ酸に対応しているときに得点が得られるゲームにより、アミノ酸とコドンとの対応関係を遊びながら学ぶことができる。なお、化学式には、組成式、分子式、示性式、構造式等が含まれ、分子モデルには、ワイヤーモデル、球棒モデル、空間充填モデル等のアミノ酸分子を視覚的に分かり易く表示する図が含まれる。
【００１２】
また、本発明のトランプカードでは、各スーツのカードの枚数を、塩基の３つにより規定されるアミノ酸の数と同じ２０枚に設定することが望ましい。
このように、各スーツに２０種類のアミノ酸の全てを含めることで、遊びながら全てのアミノ酸に対する理解を深めることができる。
【００１３】
また、本発明のトランプカードでは、各カードの表面に、表示されたアミノ酸に対応するコドンを併せて表示することが望ましい。
こうすることで、アミノ酸とコドンとの関係がカードの表示から分かる。
【００１４】
また、本発明のトランプカードでは、４種類のスーツの各々に異なる色を対応付けて、各カードの表面に表示されたアミノ酸の名称、化学式若しくは分子モデル、または、それらの背景を、当該カードのスーツに対応する色で表示することが望ましい。
こうすることで、カードの色を見て、スーツの種類が理解できる。
【００１５】
また、本発明のトランプカードでは、アミノ酸のランクを、アミノ酸の側鎖の構造、側鎖の長さ、若しくは、分子量、または、それらの組合せに基づいて順序付けることができる。
カードをランク順に並べることで２０種類のアミノ酸の分類や系列を理解することができる。
【００１６】
また、本発明のトランプカードでは、インデックスが表示されたカードの他にジョーカーのカードを含めるようにしても良い。
ジョーカーを含めることで、カードゲームの遊び方を多様化できる。
【００１７】
また、本発明のトランプカードでは、ジョーカーのカードに、ＲＮＡを表示することが望ましい。
ＤＮＡについては、一般に広く知られるようになったが、ＲＮＡに対する理解は未だ広まっていない。ジョーカーにＲＮＡを表示することで、ＲＮＡに対する関心を高めることができる。
【００１８】
また、本発明のトランプカードでは、ジョーカーのカードに、アミノ酸のメチオニンを表示しても良い。
メチオニンを規定するコドンは、ｍＲＮＡ上で蛋白質の合成開始を指定する開始コドンを兼ねている。メチオニンをジョーカーとすることで、メチオニンの特殊性を理解させることができる。この場合、各スーツのカードの枚数は１９枚となる。
【００１９】
また、本発明のトランプカードでは、各スーツのカードの内、少なくとも、ランクが最上位から３番目までの３枚のカードを絵札とすることが望ましい。
通常のトランプと同様に、少なくとも、最上位のランクをキング（Ｋ）、その下のランクをクイーン（Ｑ）、さらにその下のランクをジャック（Ｊ）の絵札とすることが望ましい。
【００２０】
また、本発明のトランプカードでは、各スーツのカードの内、ランクが最上位から５番目までの５枚のカードを絵札としても良い。
例えば、ジャック（Ｊ）の下のランクをビショップ（Ｂ）の絵札とし、ビショップ（Ｂ）の下のランクをナイト（ｋＮ）の絵札とする。このように、各スーツの絵札の枚数を５枚に増やすことで、各スーツのカードが２０枚から成るトランプカードの絵札の少なさを解消できる。
【発明の効果】
【００２１】
本発明のトランプカードは、ゲームを楽しみながら生物学の根本原則を学ぶことを可能にしており、児童や学生、さらには国民全般に、科学技術マインドや発明マインドを醸成する上で有効な手段と成り得る。
【図面の簡単な説明】
【００２２】
【図１】本発明の実施形態に係るトランプカードのスーツを示す図
【図２】本発明の実施形態に係るトランプカードを示す図
【図３】本発明の実施形態に係るトランプカードの絵札を示す図（ランク１６，１７）
【図４】本発明の実施形態に係るトランプカードの絵札を示す図（ランク１８〜２０）
【図５】本発明の実施形態に係るトランプカードの各ランクに対応するアミノ酸を示す図
【図６】アミノ酸とコドンとの関係を示す図
【図７】本発明の実施形態に係るトランプカードを示す図（スーツＡ、ランク１〜１０）
【図８】本発明の実施形態に係るトランプカードを示す図（スーツＡ、ランク１１〜２０）
【図９】本発明の実施形態に係るトランプカードを示す図（スーツＣ、ランク１〜１０）
【図１０】本発明の実施形態に係るトランプカードを示す図（スーツＣ、ランク１１〜２０）
【図１１】本発明の実施形態に係るトランプカードを示す図（スーツＧ、ランク１〜１０）
【図１２】本発明の実施形態に係るトランプカードを示す図（スーツＧ、ランク１１〜２０）
【図１３】本発明の実施形態に係るトランプカードを示す図（スーツＴ、ランク１〜１０）
【図１４】本発明の実施形態に係るトランプカードを示す図（スーツＴ、ランク１１〜２０）
【図１５】本発明の実施形態に係るトランプカードのジョーカーを示す図
【図１６】本発明の実施形態に係るトランプカードを示す図（表面に名称、化学式、分子モデルを記載）
【図１７】図１６のトランプカードのスーツを示す図
【図１８】本発明の実施形態に係るトランプカードを示す図（表面に構造式を記載）
【図１９】本発明の実施形態に係るトランプカードを示す図（表面に空間充填モデルを記載）
【図２０】本発明の実施形態に係るトランプカードを示す図（背景模様を記載）
【発明を実施するための形態】
【００２３】
本発明のトランプカードは、スーツが、ＤＮＡを構成するヌクレオチドの塩基である「アデニン」「シトシン」「グアニン」「チミン」、または、ＲＮＡを構成するヌクレオチドの塩基である「アデニン」「シトシン」「グアニン」「ウラシル」の４種類から成る。なお、後述するように、「チミン」や「ウラシル」に代えてチミンとウラシルとを組合わせた「チミン・ウラシル」を用いても良い。
図１は、「アデニン」「シトシン」「グアニン」及び「チミン」から成るスーツのデザイン化した記号を示している。アデニンは、Ａの文字をスペード風に図形化し、シトシンは、Ｃの文字をハート風に図形化し、チミンは、Ｔの文字をダイヤ風に図形化し、また、グアニンは、Ｇの文字をクラブ風に図形化している。また、通常のトランプと類似させるため、アデニン及びグアニンのスーツは黒色に、シトシン及びチミンのスーツは赤色に着色している。
【００２４】
各スーツのカードは２０枚から成る。図７は、アデニンの１から１０までのランクのカードの表面を示し、図８は、アデニンの１１から２０までのランクのカードの表面を示している。
１から１５までのランクのカードには、図２に示すように、カードの左サイドの上部及び右サイドの下部に、カードのランクを表す数字３１（但し、ランク１のカードはＡと表示）とカードのスーツ３２とを組合わせたインデックス３０が表示され、カード中央に、カードのランクに対応付けたアミノ酸の分子構造を３次元的に表す分子モデル４０が表示され、カードの上部にアミノ酸の名称４１が表示され、カードの左側に、表示されたアミノ酸を規定するコドン４２が表示されている。
なお、アミノ酸の名称４１及びコドン４２は、複数枚のカードを扇状に手で持った時に、隠れにくいように、名称４１をカード上部に、コドン４２をカード左側に表示している。
【００２５】
また、１６から２０までのランクのカードは絵札であり、図３及び図４に示すように、カードのランクを表す記号３３とスーツ３２とを組合わせたインデックス３０、カードのランクに対応付けたアミノ酸の分子モデル４０、アミノ酸の名称４１、及びコドン４２の他に、絵札を表す絵柄５１、５２、５３、５４、５５が表示されている。
「ＫＮ」の記号３３が表示されたランク１６のカードの絵柄５１は、ナイト（騎士）を表している。
「Ｂ」の記号３３が表示されたランク１７のカードの絵柄５２は、ビショップ（司教）を表している。
「Ｊ」の記号３３が表示されたランク１８のカードの絵柄５３は、ジャックを表している。
「Ｑ」の記号３３が表示されたランク１９のカードの絵柄５４は、クイーンを表している。
「Ｋ」の記号３３が表示されたランク２０のカードの絵柄５５は、キングを表している。
【００２６】
図５は、カードの各ランクに対応付けたアミノ酸を示している。ここでは、次の（１）から（９）に示すように、アミノ酸の側鎖の構造に基づいてランクを分け、同一構造に分類されるものは側鎖の長さや分子量に基づいてランク付けしている。
（１）側鎖が水素のみから成るアミノ酸
グリシン
（２）側鎖が炭素と水素からできているアミノ酸
アラニン、バリン、ロイシン、イソロイシン
（３）側鎖に水酸基を持つアミノ酸
セリン、トレオニン
（４）側鎖に硫黄を含むアミノ酸
システイン、メチオニン
（５）側鎖にカルボキシ基がアミド結合した置換基（ＣＯＮＨ2）を持つアミノ酸
アスパラギン、グルタミン
（６）側鎖にベンゼン環を持つアミノ酸
フェニルアラニン、チロシン、トリプトファン
（７）イミノ基を有するアミノ酸
プロリン
（８）側鎖がカルボキシ基を持つ酸性のアミノ酸
アスパラギン酸、グルタミン酸
（９）側鎖がＮＨ2基を持つ塩基性のアミノ酸
リジン、アルギニン、ヒスチジン
このようにアミノ酸をランク付けたとき、酸性アミノ酸のアスパラギン酸がナイトになり、グルタミン酸がビショップになる。また、塩基性アミノ酸のリジンがジャック、アルギニンがクイーン、ヒスチジンがキングになる。
【００２７】
図６は、アミノ酸と、アミノ酸を規定するコドンとの関係を示している（ここでは、アデニンをＡ、シトシンをＣ、チミンをＴ、グアニンをＧで表示している）。
この表の中でメチオニンを規定するＡＴＧは、塩基配列の開始位置を示すコドンとしても用いられる。また、ＴＡＡ、ＴＡＧ及びＴＧＡのコドンに対応するアミノ酸は存在しない。そのため、これらのコドンの位置でアミノ酸の配列は終止する。
【００２８】
また、図９は、シトシンの１から１０までのランクのカード表面を示し、図１０は、シトシンの１１から２０までのランクのカード表面を示している。図１１は、グアニンの１から１０までのランクのカード表面を示し、図１２は、グアニンの１１から２０までのランクのカード表面を示している。また、図１３は、チミンの１から１０までのランクのカード表面を示し、図１４は、チミンの１１から２０までのランクのカード表面を示している。
カードに表示した分子モデル４０の背景の色は、スーツ毎に変えており、アデニンは緑色、シトシンはピンク色、グアニンは灰色、そして、チミンは青色を用いている。そのため、カードの色を見て、スーツの種類が理解できる。
また、図１５は、ジョーカーのカードの表面を示している。ジョーカーの表面には、図案化したＲＮＡが表示されている。
【００２９】
なお、カード表面のデザインは種々変更することが可能である。
図１６は、カード表面に、カードのランクに対応付けたアミノ酸の分子モデル、名称及び化学式を表示した例を示している。このカードにはコドンが表示されていない。
なお、化学式は、アミノ酸を元素の構成で表現するものであり、その中には、物質の元素組成を示す「組成式」や、分子を構成している元素がそれぞれ何個集まって出来ているかを示す「分子式」、分子中に含まれる基や原子団を明示する「示性式」、分子を構成している原子が互いにどのように結合しているかを示す「構造式」等、各種の式が含まれる。図１６のカードには、化学式の内の分子式が表示されている。
【００３０】
また、分子モデルには、原子は表さずに原子の結合関係のみを針金状の線で表した「針金モデル」や、原子を球、結合を棒で表した「球棒モデル」（球の大きさは原子半径を反映していない）、原子半径の大きさを反映させた球で原子を表した「空間充填モデル」等、アミノ酸分子を視覚的に分かり易く表示する図が含まれる。図１６では、分子モデルの内の球棒モデルが表示されている。
また、この例では、各スーツの記号として、図１７に示すように、アデニンにはＡ、シトシンにはＣ、グアニンにはＧ、チミンとウラシルとを組合わせたチミン・ウラシルにはＴとＵとを組合わせた記号を用いている。
【００３１】
また、各スーツを構成する２０枚のカードの中で、ランクが１８、１９、２０のカードのみをＪ、Ｑ、Ｋの絵札とし、残りのカードは絵札としなくても良い。図１６には、絵札では無いランク１６のカードを示している。
【００３２】
また、図１８には、カードの表面中央に、アミノ酸の構造式を表示したカードを示している。
また、図１９には、カードの表面中央に、アミノ酸の空間充填モデルを表示したカードを示している。
【００３３】
また、カード表面に表示するアミノ酸の名称、化学式または分子モデルを各スーツの色で表すようにしても良い。
図２０（ａ）（ｂ）には、球棒モデルの背景として、デザイン化した模様をスーツの色で描いたカードを示している。
【００３４】
アミノ酸のランク付けは、アミノ酸の分子量のみに着目し、分子量の軽い順に並べても良い。
また、直鎖が短いものから長いものに順にランク付けし、その後、環状構造の単純なものから複雑なものへ順にランク付けても良い。この場合、具体的には次のようなランク順になる。
グリシン、アラニン、セリン、バリン、トレオニン、システイン、ロイシン、イソロイシン、アスパラギン、アスパラギン酸、グルタミン、グルタミン酸、メチオニン、リシン、アルギニン、プロリン、ヒスチジン、フェニルアラニン、チロシン、トリプトファン
また、以上の各ランクにおいて、硫黄を含むアミノ酸を特別視して順番を最後に回し、システインを１９番目、メチオニンを２０番目に置いても良い。
【００３５】
また、ジョーカーのカードに、アミノ酸のメチオニンを表示しても良い。メチオニンを規定するコドンは、ｍＲＮＡ上で蛋白質の合成開始を指定する開始コドンを兼ねている。メチオニンをジョーカーとすることで、ゲーム参加者にメチオニンの特殊性を理解させることができる。この場合、各スーツのカードの枚数は１９枚となる。スーツのカード枚数が減ることで、ゲーム時間の短縮化が可能になる。
また、ジョーカーとして、ＤＮＡ、ＲＮＡ、ｍＲＮＡ、ｔＲＮＡなど、遺伝情報に関係する物質の名前や構造図を表示しても良い。
【００３６】
次に、このカードを用いて行うカードゲームについて説明する。
（ゲーム１）
このゲームでは、３枚のカードに表示されたスーツによりコドンを作成し、コドンを作成した３枚のカードの中に、そのコドンに対応するアミノ酸が画かれている場合、そのアミノ酸のカードを自分の取り分とする。こうして、取得したアミノ酸カードの点数を計算して勝敗を決める。
【００３７】
（具体的な遊び方）  
１）親をじゃんけんで決め、親が各自に３枚のカードを配る。残りのカードは山札として裏向きのまま場に積み上げる。ゲームで勝った者が次のゲームの親になる。
２）親から順に、各自が山札から一枚のカードを採り、合計４枚のカードのスーツから３枚を選んで、３つのスーツによるコドンを作成し、そのコドンに該当するアミノ酸がその３枚の中に画かれているかを調べる（これを「コドン合わせ」と言う）。
３）３枚の中に該当するアミノ酸が画かれていれば、場に３枚を並べて皆の確認を得た後、そのアミノ酸のカードを自分の取り分として自分の前に置く。この場合は、手持ちの札を１枚捨てる必要はない。一方、合計４枚のカードのスーツから如何に３枚を選んでも、アミノ酸カードを取得するコドンが作成できないときは、随意の１枚を場に捨てる。
４）１枚を取り分として場に置き、手持ち札が３枚となっても、その３枚によるコドンに該当するアミノ酸がその３枚の何れかに画かれている場合は、さらに、そのアミノ酸のカードを、同じように皆の確認を得た後、取り分として自分の前に置く。この場合、手札が２枚となるが、次回に２枚を山札から取ることができる。
５）４）までを終了した後に、他人が場に捨てたカードと、３枚の手持ち札の内の２枚、または、２枚だけの手持ち札により、アミノ酸カードの取得可能なコドンが作成できる場合は、他人がカードを捨てたときに「コドン」と言って必要なカードを貰い、場に３枚を並べて皆の確認を得た後、アミノ酸カードを自分の取り分に加えることができる。他人の捨てカードは、「コドン」を早く言った人が貰えるが、同時に複数の人が「コドン」と言った時は、カードを捨てた人の左側に近い人が優先する。
但し、この「コドン」は、初回には適用されず、２順目から可能になる。また、手持ち札が３枚または２枚の場合にのみ「コドン」の声掛けが可能であり、手持ち札が４枚の状態では実施できない。
６）親から順に、各自が山札から一枚のカードを採るが、コドンの確認要求やアミノ酸カードの取得、或いは不要カードの廃棄行為は、コドン合わせが終了した人から順不同で進める（これは、コドン合わせに時間が掛かるので一人ずつではゲームが緩慢になるからである）。親は、全員の行為が済んだことを確認した後、次回のカードを山札から一枚採り、続いて、他の人が順番に一枚ずつカードを採る。
７）これを山札が無くなるまで続け、無くなれば終了する。また、自分が勝っている場合、読み終わりのコドン、即ち、ＴＡＡ、ＴＧＡ、ＴＡＧが得られた時に、終了を宣言できる。但し、「コドン」により、他人のカードを取って終了宣言することはできない。
８）ジョーカーを使う場合には、ジョーカーが四つのスーツのいずれかになれることとする。但し、ジョーカーは、１回使ったら、場に捨てなければならない。この場合、手持ちカードが２枚となるが、次回に２枚のカードを山札から取ることができる。
９）取得したカードの得点数で順位をつける。例えば、
絵札及びエース    １０点
１０〜１５    ５点
その他    １点
として得点数を計算する。あるいは、さらに簡便にするため、絵札を１０点、その他は全部１点として得点を計算する。
【００３８】
（ゲーム２）
８０枚のカードを全て用いて「神経衰弱」を行う。
この神経衰弱では、全てのカードを裏向きにして場に並べ、メンバーが順番に３枚のカードをめくって表向きにする。めくられたカードのスーツの順番で決まるコドンに該当するアミノ酸がその３枚の中に画かれているときは、その３枚が、めくった人の取り分となり、その人は、さらに３枚のカードをめくる権利を保持する。
例えば、スーツＧのランク８のカード（表示アミノ酸は「システイン」）の次にスーツＣのランク２のカード（表示アミノ酸は「アラニン」）がめくられ、その次にスーツＡのランク１５のカード（表示アミノ酸は「プロリン」）がめくられると、スーツの順序はＧＣＡとなり、その「ＧＣＡ」に対応するアミノ酸「アラニン」が３枚の内の一枚に表示されているので、その３枚はめくった人の取り分となる。
そのコドン「ＧＣＡ」に該当するアミノ酸が、めくられた３枚の中に画かれていないときは、めくったカードを元の位置に伏せて、めくる権利を次の人に渡す。
こうして、取り分の多い人が勝ちになる。
【００３９】
（ゲーム３）
本発明のトランプカードは、各スーツ１３枚の通常のトランプカードに比べて、各スーツが２０枚であり、枚数は多いが、婆ぬき、ページワン、ポーカー、ラミー、戦争等、通常のトランプゲームの大部分は、本発明のトランプカードを用いてそのまま遊ぶことができる。
また、「７並べ」等のゲームは、多少ルールを変更し、最初にランクが１０または１１のカードを場に並べる「１０並べ」あるいは「１１並べ」として遊ぶことができる。
こうしたゲームにより、メンバーは、ランク順に並ぶ２０種類のアミノ酸の分類や系列を理解することができる。
また、メンバー全員に７枚のカードを配る通常の「セブンブリッジ」は、１１枚のカードを配ることにより同じように遊べる。
【００４０】
ここに示したものは一例であって、本発明は、それだけに限定されるものではない。ここでは、カードの表面に、アミノ酸の名称、化学式、分子モデルを表示する例を示したが、カードの表面には、それらの少なくとも１つが表示されていれば良い。また、化学式として、組成式、分子式、示性式、構造式等の何れを表示しても良く、分子モデルとして、ワイヤーモデル、球棒モデル、空間充填モデル等、アミノ酸分子を視覚的に分かり易く表示する図の何れを表示しても良い。
【産業上の利用可能性】
【００４１】
本発明のトランプカードは、子供から大人までが、ゲームを楽しみながら生物学の根本原則を学ぶために使用することが可能であり、国民全般の科学技術マインドや発明マインドを高めるために広く用いることができる。
【符号の説明】
【００４２】
３０  インデックス
３１  ランクを表す数字
３２  スーツを表す記号
３３  ランクを表す記号
４０  分子モデル
４１  アミノ酸の名称
４２  コドン
５１  ナイト
５２  ビショップ
５３  ジャック
５４  クイーン
５５  キング
【図１】
0005946803.tif 000002
【図２】
0005946803.tif 000003
【図３】
0005946803.tif 000004
【図４】
0005946803.tif 000005
【図５】
0005946803.tif 000006
【図６】
0005946803.tif 000007
【図７】
0005946803.tif 000008
【図８】
0005946803.tif 000009
【図９】
0005946803.tif 000010
【図１０】
0005946803.tif 000011
【図１１】
0005946803.tif 000012
【図１２】
0005946803.tif 000013
【図１３】
0005946803.tif 000014
【図１４】
0005946803.tif 000015
【図１５】
0005946803.tif 000016
【図１６】
0005946803.tif 000017
【図１７】
0005946803.tif 000018
【図１８】
0005946803.tif 000019
【図１９】
0005946803.tif 000020
【図２０】
0005946803.tif 000021